(57)【要約】【課題】  複共振化した各共振周波数のフレキシブルな調整が可能なおよびアンテナ装置を提供する。【解決手段】  基板本体２と、基板本体の表面に形成されたグランドパターンＧＮＤ、第１エレメント３及び第２エレメント４とを備え、第１エレメントが、グランドパターンから離間する方向に延在する第１延在部Ｅ１と、第１延在部の先端からグランドパターンに沿って延在する第２延在部Ｅ２とを有し、第２エレメントが、第１延在部の途中に接続され第２延在部に沿って延在する第３延在部Ｅ３と、第３延在部の先端からグランドパターンに向けて延在しグランドパターンに接続された第４延在部Ｅ４とを有し、第１延在部の基端がグランドパターンに接続されている。【選択図】図１
2014127946.tif 000002
【特許請求の範囲】
【請求項１】
絶縁性の基板本体と、
該基板本体の表面にそれぞれ金属箔でパターン形成されたグランドパターン、第１エレメント及び第２エレメントとを備え、
前記第１エレメントが、前記グランドパターンに近接した基端側に給電点が設けられて前記グランドパターンから離間する方向に延在する第１延在部と、該第１延在部の先端から前記グランドパターンに沿って延在する第２延在部とを有し、
前記第２エレメントが、前記第１延在部の途中に基端が接続され前記第２延在部に沿って延在する第３延在部と、該第３延在部の先端から前記グランドパターンに向けて延在し先端が該グランドパターンに接続された第４延在部とを有し、
前記第１延在部の基端が前記グランドパターンに接続されていることを特徴とするアンテナ装置。
【請求項２】
請求項１に記載のアンテナ装置において、
前記第２延在部の途中に誘電体アンテナのアンテナ素子が接続されていることを特徴とするアンテナ装置。
【請求項３】
請求項１又は２に記載のアンテナ装置において、
前記第１延在部の途中に第１受動素子が接続され、
前記第３延在部及び前記第４延在部の少なくとも一方に第２受動素子が接続されていると共に、前記第１延在部の基端が第３受動素子を介して前記グランドパターンに接続されていることを特徴とするアンテナ装置。
【請求項４】
請求項１から３のいずれか一項に記載のアンテナ装置において、
前記第１エレメントが、前記第２延在部の先端に第４受動素子を介して基端が接続され前記第２延在部の基端側に向けて前記第２延在部に沿って延在する第５延在部を有していることを特徴とするアンテナ装置。
【発明の詳細な説明】
【技術分野】
【０００１】
本発明は、複数共振化が可能なアンテナ装置に関する。
【背景技術】
【０００２】
従来、通信機器において、アンテナの共振周波数を複共振化するためには、放射電極と誘電体ブロックとを備えたアンテナや、スイッチ，制御電圧源を用いたアンテナ装置が提案されている。
例えば、誘電体ブロックによる従来技術としては、特許文献１では、放射電極を樹脂成型体に形成し、さらに誘電体ブロックを接着剤で一体化することで高効率を得る複合アンテナが提案されている。
【０００３】
また、スイッチ，制御電圧源を用いた従来技術としては、特許文献２では、第１の放射電極と、第２の放射電極と、第１の放射電極の途中部と第２の放射電極の基端部との間に介設され、第２の放射電極を第１の放射電極と電気的に接続又は切断させるためのスイッチと、を備えるアンテナ装置が提案されている。
【先行技術文献】
【特許文献】
【０００４】
【特許文献１】特開２０１０−８１０００号公報
【特許文献２】特開２０１０−１６６２８７号公報
【発明の概要】
【発明が解決しようとする課題】
【０００５】
しかしながら、上記従来の技術においても、以下の課題が残されている。
すなわち、特許文献１に記載のような誘電体ブロックによる技術では、放射電極を励振する誘電体ブロックを使用しており、機器毎に誘電体ブロック、放射電極パターン等の設計が必要になり、その設計条件によってアンテナ性能が劣化したり、不安定要素が増加する不都合がある。また、放射電極が樹脂成型体の表面に形成されているため、樹脂成型体上に放射電極パターンを設計する必要があり、実装する通信機器やその用途に応じて、アンテナ設計、金型設計が必要になり、大幅なコストの増大を招いてしまう。さらに、誘電体ブロックと樹脂成型体とを接着剤で一体化するので、接着剤のＱ値以外にも接着条件（接着剤の厚み、接着面積等）により、アンテナ性能が劣化したり、不安定要素が増加する不都合がある。
また、特許文献２に記載のようなスイッチ，制御電圧源を用いたアンテナ装置の場合、スイッチで共振周波数を切り替えを行うために、制御電圧源の構成やリアクタンス回路等が必要であり、アンテナ構成が機器毎に複雑化し、設計の自由度が無く、容易なアンテナ調整が困難であるという問題があった。
【０００６】
本発明は、前述の課題に鑑みてなされたもので、複共振化した各共振周波数のフレキシブルな調整が可能で、用途や機器毎に応じたアンテナ性能を安価かつ容易に確保できると共に小型化や薄型化が可能なアンテナ装置を提供することを目的とする。
【課題を解決するための手段】
【０００７】
本発明は、前記課題を解決するために以下の構成を採用した。すなわち、第１の発明に係るアンテナ装置は、絶縁性の基板本体と、該基板本体の表面にそれぞれ金属箔でパターン形成されたグランドパターン、第１エレメント及び第２エレメントとを備え、前記第１エレメントが、前記グランドパターンに近接した基端側に給電点が設けられて前記グランドパターンから離間する方向に延在する第１延在部と、該第１延在部の先端から前記グランドパターンに沿って延在する第２延在部とを有し、前記第２エレメントが、前記第１延在部の途中に基端が接続され前記第２延在部に沿って延在する第３延在部と、該第３延在部の先端から前記グランドパターンに向けて延在し先端が該グランドパターンに接続された第４延在部とを有し、前記第１延在部の基端が前記グランドパターンに接続されていることを特徴とする。
【０００８】
このアンテナ装置では、基板本体の表面にそれぞれ金属箔でパターン形成された上記のグランドパターン、第１エレメント及び第２エレメントを備えているので、各エレメント間やグランドパターンとの間の各浮遊容量とを効果的に利用することで、複共振化させることができる。
特に、第２エレメントが、第１延在部の途中に基端が接続され第２延在部に沿って延在する第３延在部と、該第３延在部の先端からグランドパターンに向けて延在し先端が該グランドパターンに接続された第４延在部とを有しているので、第２エレメントとグランドパターンと第１延在部とにより開口パターン部が形成されて第１エレメントを主とする共振周波数とは別の共振周波数を得ることができる。
また、形成された開口パターン部内に発生する浮遊容量によって人体や周辺部品の影響を低減することが可能になる。
【０００９】
第２の発明に係るアンテナ装置は、第１の発明において、前記第２延在部の途中に誘電体アンテナのアンテナ素子が接続されていることを特徴とする。
すなわち、このアンテナ装置では、所望の共振周波数に自己共振しないローディング素子のアンテナ素子によってエレメント長の短縮化及び高インピーダンス化と、浮遊容量の増大とが可能になり、複共振化の調整が容易になると共に小型化とアンテナ特性の向上とを図ることができる。
また、アンテナ素子と第３延在部との間の浮遊容量により、アンテナ素子自体が直接グランドパターンとの間の浮遊容量を発生することが無く、アンテナ素子とグランドパターンとの間の距離による依存性が少なくなると共に、グランドパターンへの高周波電流を効率的に流すことが可能になる。
【００１０】
第３の発明に係るアンテナ装置は、第１又は第２の発明において、前記第１延在部の途中に第１受動素子が接続され、前記第３延在部及び前記第４延在部の少なくとも一方に第２受動素子が接続されていると共に、前記第１延在部の基端が第３受動素子を介して前記グランドパターンに接続されていることを特徴とする。
すなわち、このアンテナ装置では、形成された開口パターン部に接続された第２受動素子と第３受動素子とにより、並列共振が発生するため、高インピーダンスにできると共に、第１エレメントを主として得られる共振周波数に対するグランドパターンとの間の影響を低減することが可能になる。なお、形成される開口パターン部の開口面積は広い方が望ましい。
【００１１】
また、アンテナ素子および受動素子の選択によって、各共振周波数をフレキシブルに調整可能であり、設計条件に応じた複共振化が可能なアンテナ装置を得ることができる。このように、アンテナ構成上、各共振周波数をフレキシブルに調整できるため、共振周波数の入れ替えが可能になり、用途や機器に応じて受動素子等による調整箇所を変更可能になっている。
また、基板本体の平面内で設計が可能であり、従来の誘電体ブロックや樹脂成型体等を使用する場合に比べて薄型化が可能であると共に、誘電体アンテナであるアンテナ素子の選択によって、小型化および高性能化が可能になる。また、金型、設計変更等によるコストが必要なく、低コストを実現することができる。
【００１２】
第４の発明に係るアンテナ装置は、第１から第３の発明のいずれかにおいて、前記第１エレメントが、前記第２延在部の先端に第４受動素子を介して基端が接続され前記第２延在部の基端側に向けて前記第２延在部に沿って延在する第５延在部を有していることを特徴とする。
すなわち、このアンテナ装置では、第１エレメントが、第２延在部の先端に第４受動素子を介して基端が接続され第２延在部の基端側に向けて第２延在部に沿って延在する第５延在部を有しているので、第４受動素子に高インピーダンスとなるものを選択することで、第５延在部の基端から第４受動素子との間で、別の共振周波数を得ることが可能である。
【発明の効果】
【００１３】
本発明によれば、以下の効果を奏する。
本発明のアンテナ装置によれば、基板本体の表面にそれぞれ金属箔でパターン形成された上記のグランドパターン、第１エレメント及び第２エレメントを備えているので、各エレメント間及びグランドパターンとの間などで浮遊容量が発生し、少なくとも２つ以上の共振周波数による複共振化が可能になる。
特に、第２エレメントとグランドパターンとにより開口パターン部が形成されて第１エレメントを主とする共振周波数とは別の共振周波数を得ることができる。
また、それぞれのエレメントに接続するアンテナ素子および受動素子の選択によって、各共振周波数をフレキシブルに調整可能であり、設計条件に応じた複共振化が可能になると共に、小型化および高性能化が可能になる。
したがって、本発明のアンテナ装置は、多様な用途や機器に対応した複共振化が容易に可能になると共に、省スペース化を図ることができる。
【図面の簡単な説明】
【００１４】
【図１】本発明に係るアンテナ装置の一実施形態において、各エレメントの位置関係を示す平面図である。
【図２】本実施形態において、各共振周波数に寄与する主な領域を示す配線図である。
【図３】本実施形態において、アンテナ装置で生じる浮遊容量を示す配線図である。
【図４】本実施形態において、アンテナ素子を示す斜視図（ａ）、平面図（ｂ）、正面図（ｃ）および底面図（ｄ）である。
【図５】本実施形態において、３共振化した際のＶＳＷＲ特性（電圧定在波比）を示すグラフである。
【図６】本実施形態において、アンテナ装置の放射パターンを示すグラフである。
【発明を実施するための形態】
【００１５】
以下、本発明に係るアンテナ装置の一実施形態を、図１から図６を参照しながら説明する。
【００１６】
本実施形態におけるアンテナ装置１は、図１及び図２に示すように、絶縁性の基板本体２と、該基板本体２の表面にそれぞれ銅箔等の金属箔でパターン形成されたグランドパターンＧＮＤ、第１エレメント３及び第２エレメント４とを備えている。
上記第１エレメント３は、グランドパターンＧＮＤに近接した基端側に給電点ＦＰが設けられてグランドパターンＧＮＤから離間する方向に延在する第１延在部Ｅ１と、該第１延在部Ｅ１の先端からグランドパターンＧＮＤに沿って延在する第２延在部Ｅ２とを有している。
また、上記第２延在部Ｅ２の途中には、誘電体アンテナのアンテナ素子ＡＴが接続されている。
なお、グランドパターンＧＮＤに沿った方向とは、対向するグランドパターンＧＮＤの端辺に沿った方向である。
【００１７】
上記第２エレメント４は、第１延在部Ｅ１の途中に基端が接続され第２延在部Ｅ２に沿って延在する第３延在部Ｅ３と、該第３延在部Ｅ３の先端からグランドパターンＧＮＤに向けて延在し先端が該グランドパターンＧＮＤに接続された第４延在部Ｅ４とを有している。すなわち、第２エレメント４とグランドパターンＧＮＤと第１延在部Ｅ１とで囲まれた開口部が形成されており、第２エレメント４とグランドパターンＧＮＤと第１延在部Ｅ１とにより開口パターン部を構成している。
【００１８】
また、第１延在部Ｅ１の途中には、第１受動素子Ｐ１ａ，Ｐ１ｂが接続されている。さらに、第３延在部Ｅ３及び第４延在部Ｅ４に第２受動素子Ｐ２ａ，Ｐ２ｂが接続されていると共に、第１延在部Ｅ１の基端が第３受動素子Ｐ３を介してグランドパターンＧＮＤに接続されている。すなわち、第３延在部Ｅ３の基端と第１延在部Ｅ１との間に第２受動素子Ｐ２ａが接続されていると共に、第４延在部Ｅ４の基端と第３延在部Ｅ３の先端との間に第２受動素子Ｐ２ｂが接続されている。このように、２つの第２受動素子Ｐ２ａ，Ｐ２ｂと第３受動素子Ｐ３とにより、π型の共振器を構成している。
【００１９】
また、第１エレメント３は、第２延在部Ｅ２の先端に第４受動素子Ｐ４を介して基端が接続され第２延在部Ｅ２の基端側に向けて第２延在部Ｅ２に沿って延在する第５延在部Ｅ５を有している。なお、第５延在部Ｅ５は、基端部がグランドパターンＧＮＤから離間する方向に第４受動素子Ｐ４から一旦延在してから折れ曲がって第２延在部Ｅ２に沿った方向に延在している。すなわち、第５延在部Ｅ５は、第４受動素子Ｐ４を起点に第２延在部Ｅ２から折り返されて延在している。
【００２０】
上記第１延在部Ｅ１は、その基端部に先端側よりも幅広とされた幅広部Ｅ１ａを有し、該幅広部Ｅ１ａの先端部に第３延在部Ｅ３が第２受動素子Ｐ２ａを介して接続されている。また、幅広部Ｅ１の基端における給電点ＦＰと第３受動素子Ｐ３との接続点は互いに離間して配されている。
【００２１】
上記基板本体２は、一般的なプリント基板であって、本実施形態では、ガラスエポキシ樹脂等からなるプリント基板を採用している。
なお、上記給電点ＦＰは、それぞれ高周波回路（図示略）の給電点に接続される。また、グランドパターンＧＮＤの領域には、高周波回路が実装される。
上記各受動素子は、例えばインダクタ、コンデンサ、抵抗又はジャンパー線が採用される。
【００２２】
上記アンテナ素子ＡＴは、所望の共振周波数に自己共振しないローディング素子であって、例えば図４に示すように、セラミックス等の誘電体２１の表面にＡｇ等の導体パターン２２が形成されたチップアンテナである。
このアンテナ素子ＡＴは、共振周波数等の設定に応じて、その長さ、幅、導体パターン等が異なる素子を選択しても構わない。また、所望の周波数によっては、アンテナ素子ＡＴに使用している誘電体２１を、磁性体、若しくは誘電体と磁性体とを混合した複合材料としても構わない。
【００２３】
上記第１エレメント３と第２エレメント４とは、互いの間の浮遊容量と、グランドパターンＧＮＤとの間の浮遊容量とを発生可能に、互いに間隔を空けて延在している。
すなわち、図３に示すように、第５延在部Ｅ５とアンテナ素子ＡＴとの間の浮遊容量Ｃａと、第５延在部Ｅ５と第２延在部Ｅ２との間の浮遊容量Ｃｂと、第２延在部Ｅ２とグランドパターンＧＮＤとの間の浮遊容量Ｃｃと、アンテナ素子ＡＴと第３延在部Ｅ３との間の浮遊容量Ｃｄと、第２延在部Ｅ２と第３延在部Ｅ３との間の浮遊容量Ｃｅと、第３延在部Ｅ３とグランドパターンＧＮＤとの間の浮遊容量Ｃｆとが発生可能である。
【００２４】
次に、本実施形態のアンテナ装置における各共振周波数について、図を参照して説明する。
【００２５】
本実施形態のアンテナ装置１では、図５に示すように、周波数の低い方から、第１の共振周波数ｆ１、第２の共振周波数ｆ２及び第３の共振周波数ｆ３の順に３つの周波数帯に複共振化される。
上記第１の共振周波数ｆ１は、第１エレメント３とアンテナ素子ＡＴと第１受動素子Ｐ１ａ，Ｐ１ｂ及び第２受動素子Ｐ２ａ，Ｐ２ｂと浮遊容量とで決定される。また、上記第２の共振周波数ｆ２は、アンテナ素子ＡＴと第１受動素子Ｐ１ａ，Ｐ１ｂと第１延在部Ｅ１及び第２延在部Ｅ２と浮遊容量とで決定される。さらに、上記第３の共振周波数ｆ３は、開口パターン部を構成する第２エレメント４及びグランドパターンＧＮＤと第２受動素子Ｐ２ａ，Ｐ２ｂと浮遊容量とで決定される。
【００２６】
以下、これら共振周波数について、より詳しく説明する。
「第１の共振周波数ｆ１について」
上記第１の共振周波数ｆ１の周波数は、第１エレメント３、アンテナ素子ＡＴ、第１受動素子Ｐ１ａ，Ｐ１ｂ、第４受動素子Ｐ４及び浮遊容量Ｃａ，Ｃｂ，Ｃｃ，Ｃｄ，Ｃｅにより設定および調整することができる。
また、第１の共振周波数ｆ１のインピーダンス調整は、浮遊容量Ｃａ，Ｃｂ，Ｃｃ，Ｃｄ，Ｃｅの各浮遊容量の設定で行うことができる。
さらに、最終的な周波数調整は、第１受動素子Ｐ１ａ，Ｐ１ｂ及び第４受動素子Ｐ４の選択によりフレキシブルに行うことが可能である。
このように第１の共振周波数ｆ１は、主に図２中の破線Ａ１の部分で調整される。
【００２７】
「第２の共振周波数ｆ２について」
上記第２の共振周波数ｆ２の周波数は、アンテナ素子ＡＴ、第１延在部Ｅ１、第２延在部Ｅ２、第１受動素子Ｐ１ａ，Ｐ１ｂ及び浮遊容量Ｃａ，Ｃｂ，Ｃｃ，Ｃｄ，Ｃｅにより設定および調整することができる。
また、第２の共振周波数ｆ２のインピーダンス調整は、浮遊容量Ｃａ，Ｃｂ，Ｃｃ，Ｃｄ，Ｃｅの各浮遊容量の設定で行うことができる。
さらに、最終的な周波数調整は、第１受動素子Ｐ１ａ，Ｐ１ｂの選択によりフレキシブルに行うことが可能である。
このように第２の共振周波数ｆ２は、主に図２中の一点鎖線Ａ２の部分で調整される。
【００２８】
「第３の共振周波数ｆ３について」
上記第３の共振周波数ｆ３の周波数は、第１延在部Ｅ１、第２エレメント４、グランドパターンＧＮＤ、第２受動素子Ｐ２ａ，Ｐ２ｂ及び浮遊容量Ｃｄ，Ｃｆにより設定および調整することができる。
また、第３の共振周波数ｆ３のインピーダンス調整は、浮遊容量Ｃｄ，Ｃｆの各浮遊容量の設定で行うことができる。
さらに、最終的な周波数調整は、第２受動素子Ｐ２ａ，Ｐ２ｂの選択によりフレキシブルに行うことが可能である。
このように第３の共振周波数ｆ３は、主に図２中の二点鎖線Ａ３の部分で調整される。
【００２９】
なお、各共振周波数ｆ１，ｆ２，ｆ３における最終的なインピーダンス調整は、第３受動素子Ｐ３の選択によりグランドパターンＧＮＤ側に流れる高周波電流の流れをコントロールすることで、フレキシブルに行うことが可能である。
【００３０】
このように本実施形態のアンテナ装置１では、基板本体２の表面にそれぞれ金属箔でパターン形成された上記のグランドパターンＧＮＤ、第１エレメント３及び第２エレメント４を備えているので、各エレメント間やグランドパターンＧＮＤとの間などの各浮遊容量とを効果的に利用することで、複共振化させることができる。
【００３１】
特に、第２エレメント４が、第１延在部Ｅ１の途中に基端が接続され第２延在部Ｅ２に沿って延在する第３延在部Ｅ３と、該第３延在部Ｅ３の先端からグランドパターンＧＮＤに向けて延在し先端が該グランドパターンＧＮＤに接続された第４延在部Ｅ４とを有しているので、第２エレメント４とグランドパターンＧＮＤと第１延在部Ｅ１とにより開口パターン部が形成されて第１エレメント３を主とする共振周波数とは別の共振周波数を得ることができる。
また、形成された開口パターン部内に発生する浮遊容量によって人体や周辺部品の影響を低減することが可能になる。
【００３２】
また、所望の共振周波数に自己共振しないローディング素子のアンテナ素子ＡＴによってエレメント長の短縮化及び高インピーダンス化と、浮遊容量の増大とが可能になり、複共振化の調整が容易になると共に小型化とアンテナ特性の向上とを図ることができる。
さらに、アンテナ素子ＡＴと第３延在部Ｅ３との間の浮遊容量Ｃｄにより、アンテナ素子ＡＴ自体が直接グランドパターンＧＮＤとの間の浮遊容量を発生することが無く、アンテナ素子ＡＴとグランドパターンＧＮＤとの間の距離による依存性が少なくなると共に、グランドパターンＧＮＤへの高周波電流を効率的に流すことが可能になる。
【００３３】
また、形成された開口パターン部に接続された第２受動素子Ｐ２ａ，Ｐ２ｂと第３受動素子Ｐ３とにより、並列共振が発生するため、高インピーダンスにできると共に、第１エレメント３を主として得られる共振周波数に対するグランドパターンＧＮＤとの間の影響を低減することが可能になる。
また、アンテナ素子および各受動素子の選択によって、各共振周波数をフレキシブルに調整可能であり、設計条件に応じた複共振化が可能なアンテナ装置を得ることができる。このように、アンテナ構成上、各共振周波数をフレキシブルに調整できるため、共振周波数の入れ替えが可能になり、用途や機器に応じて受動素子等による調整箇所を変更可能になっている。
【００３４】
また、基板本体２の平面内で設計が可能であり、従来の誘電体ブロックや樹脂成型体等を使用する場合に比べて薄型化が可能であると共に、誘電体アンテナである各アンテナ素子の選択によって、小型化および高性能化が可能になる。また、金型、設計変更等によるコストが必要なく、低コストを実現することができる。
【００３５】
また、第１エレメント３が、第２延在部Ｅ２の先端に第４受動素子Ｐ４を介して基端が接続され第２延在部Ｅ２の基端側に向けて第２延在部Ｅ２に沿って延在する第５延在部Ｅ５を有しているので、第４受動素子Ｐ４に高インピーダンスとなるものを選択することで、第５延在部Ｅ５の基端から第４受動素子Ｐ４との間で、別の共振周波数を得ることが可能である。
【実施例】
【００３６】
次に、本実施形態のアンテナ装置を実際に作製した実施例について、ＶＳＷＲ特性（電圧定在波比）を測定した結果と、各共振周波数での放射パターンについて測定した結果とを、図５及び図６を参照して説明する。
【００３７】
なお、これらの測定においては、各受動素子は以下のものを用いた。
第１受動素子Ｐ１ａ：Ｌ＝２．７ｎＨのインダクタ
第１受動素子Ｐ１ｂ：Ｌ＝３．３ｎＨのインダクタ
第２受動素子Ｐ２ａ：Ｃ＝０．４ｐＦのコンデンサ
第２受動素子Ｐ２ｂ：Ｃ＝０．５ｐＦのコンデンサ
第３受動素子Ｐ３  ：Ｌ＝２．７ｎＨのインダクタ
第４受動素子Ｐ４  ：Ｌ＝２２ｎＨのインダクタ
【００３８】
この測定結果からわかるように、第１〜第３の共振周波数ｆ１〜ｆ３が、以下の表１に示すように、良好な帯域幅を有して得られている。
なお、第１の共振周波数ｆ１の周波数帯は１５７５ＭＨｚ、第２の共振周波数ｆ２の周波数帯は２４４２ＭＨｚ、第３の共振周波数ｆ３の周波数帯は５４７０ＭＨｚである。
【表１】
2014127946.tif 000003
【００３９】
次に、上記実施例のアンテナ装置について、第１の共振周波数ｆ１、第２の共振周波数ｆ２及び第３の共振周波数ｆ３での放射パターンについて測定した結果を、図６に示す。
なお、第２延在部Ｅ２の基端から先端に向かう延在方向（アンテナ素子ＡＴの延在方向）を−Ｙ方向とし、第１延在部Ｅ１の基端から先端に向かう延在方向を−Ｘ方向とし、基板本体２表面に対する垂直方向をＺ方向とした。この際のＺＸ面に対する垂直偏波、水平偏波及び電力利得を測定した。
【００４０】
この結果、ＺＸ面における第１の共振周波数ｆ１の平均電力利得は−５．６ｄＢｉであり、第２の共振周波数ｆ２の平均電力利得は−５．７ｄＢｉであり、第３の共振周波数ｆ３の平均電力利得は−２．９ｄＢｉであった。
【００４１】
なお、本発明は上記実施形態に限定されるものではなく、本発明の趣旨を逸脱しない範囲において種々の変更を加えることができる。
例えば、上記実施形態では、第２延在部にアンテナ素子を設けているが、第５延在部にアンテナ素子を設けてエレメントの短縮化を行い、装置全体の小型化を図っても構わない。
【００４２】
また、上述したようにアンテナ素子を接続してエレメントの一部とすることが好ましいが、アンテナ素子を接続せずに、銅箔等の金属箔のみで延在した第２延在部でも構わない。この際、高インピーダンス化するために、第２延在部の少なくとも一部を他の部分よりも幅狭の細いパターンにしたり、ジグザグに折り返しながら全体として一定方向に延在するミアンダパターンとしたりすることが好ましい。
さらに、基板サイズに余裕がある場合には、上記エレメントの一部を線状若しくは板状の金属を折り返した形状のパターンに置き換えても構わない。また、同一の基板本体の表裏面に対してスルーホールを用いて、螺旋状などの形状に旋回させたパターンにしても構わない。
【符号の説明】
【００４３】
１…アンテナ装置、２…基板本体、３…第１エレメント、４…第２エレメント、ＡＴ…アンテナ素子、Ｅ１…第１延在部、Ｅ２…第２延在部、Ｅ３…第３延在部、Ｅ４…第４延在部、Ｅ５…第５延在部、ＧＮＤ…グランドパターン、Ｐ１ａ，Ｐ１ｂ…第１受動素子、Ｐ２ａ．Ｐ２ｂ…第２受動素子、Ｐ３…第３受動素子、Ｐ４…第４受動素子、ＦＰ…給電点
【図１】
2014127946.tif 000004
【図２】
2014127946.tif 000005
【図３】
2014127946.tif 000006
【図４】
2014127946.tif 000007
【図５】
2014127946.tif 000008
【図６】
2014127946.tif 000009